【手続補正書】
【提出日】平成16年5月24日(2004.5.24)
【手続補正１】
【補正対象書類名】明細書
【補正対象項目名】特許請求の範囲
【補正方法】変更
【補正の内容】
【特許請求の範囲】
【請求項１】
単位面積当たりの濃度の異なる有彩色インクによる２種類以上のドットと無彩色のインクによるドットとを、印字対象物上に形成可能なヘッドを備え、該ドットの分布により多階調の画像を記録する印刷装置であって、
印刷すべき画像の階調信号を画素毎に順次入力する入力手段と、
該入力した階調信号に基づいて、前記有彩色インクが分担する濃度と前記無彩色インクが分担する濃度とを求める濃度演算手段と、
該求められた無彩色インクの濃度に基づいて、該無彩色インクについて、２以上の多値化を行なって、無彩色インクのドットの形成を判断する無彩色ドット形成判断手段と、
該無彩色についての多値化の結果に基づいて、前記有彩色インクの濃度に反映すべき補正データを求め、前記有彩色インクが分担する濃度を補正する濃度補正手段と、
該補正された有彩色インクの濃度に基づいて、前記単位面積当たりの濃度が異なる２種類以上のドットによる多値化を行ない、該２種類以上のドットの形成を判断する有彩色ドット形成判断手段と、
前記無彩色ドット形成判断手段および前記有彩色ドット形成判断手段の判断結果に基づいて、前記ヘッドを駆動して、単位面積当たりの濃度の異なる有彩色インクの２種類以上のドットおよび前記無彩色インクのドットを形成させるヘッド駆動手段と
を備えた印刷装置。
【請求項２】
請求項１記載の印刷装置であって、
更に、前記無彩色ドット形成判断手段および有彩色ドット形成判断手段によるドット形成の有無の判断に基づき、前記階調信号に対応した印刷濃度と該無彩色インクおよび有彩色インクのドットにより実現される印刷濃度との差を濃度誤差として求め、該濃度誤差を、ドット形成の対象となっている画素の周辺の画素についての前記有彩色ドット形成判断手段における前記ドット形成の判断に反映させるよう配分する誤差拡散手段を備えた印刷装置。
【請求項３】
請求項１記載の印刷装置であって、
前記濃度補正手段は、前記無彩色インクのドットの多値化の結果による局所的な無彩色インク濃度を反映し、かつ所定範囲についての平均的な無彩色濃度が該無彩色インクが分担する濃度に実質的に等しくなるよう補正する手段である印刷装置。
【請求項４】
請求項３記載の印刷装置であって、
前記濃度補正手段は、前記無彩色インクが分担する濃度と前記無彩色ドット形成判断手段による多値化の結果により実現される無彩色インクの濃度との差を、前記有彩色インクが分担する濃度に加える手段である印刷装置。
【請求項５】
前記ヘッドが、ドット径の異なる２種類以上のドットを形成可能なヘッドである請求項１記載の印刷装置。
【請求項６】
前記ヘッドは、インク通路に設けられた電歪素子への電圧の印加によりインクに付与される圧力によってインク粒子を吐出する機構を備えた請求項１記載の印刷装置。
【請求項７】
前記ヘッドは、インク通路に設けられた発熱体への通電により発生する気泡により該インク通路のインクに付与される圧力によってインク粒子を吐出する機構を備えた請求項１記載の印刷装置。
【請求項８】
単位面積当たりの濃度の異なる有彩色インクによる２種類以上のドットと無彩色のインクによるドットとを、印字対象物上に記録可能なヘッドを備え、該ドットの分布により多階調の画像を記録する方法であって、
印刷すべき画像の階調信号を画素毎に順次入力し、
該入力した階調信号に基づいて、前記有彩色インクが分担する濃度と前記無彩色インクが分担する濃度とを求め、
該求められた無彩色インクの濃度に基づいて、該無彩色インクについて、２以上の多値化を行なって、無彩色インクのドットの形成を判断し、
該無彩色についての多値化の結果に基づいて、前記有彩色インクの濃度に反映すべき補正データを求め、前記有彩色インクが分担する濃度を補正し、
該補正された有彩色インクの濃度に基づいて、前記単位面積当たりの濃度が異なる２種類以上のドットによる多値化を行ない、該２種類以上のドットの形成を判断し、
前記無彩色インクのドットおよび前記有彩色インクのドットの多値化の判断結果に基づいて、前記ヘッドを駆動して、単位面積当たりの濃度の異なる有彩色インクの２種類以上のドットおよび前記無彩色インクのドットを形成する
画像記録方法。
【請求項９】
単位面積当たりの濃度の異なる有彩色インクによる２種類以上のドットと無彩色のインクによるどっととを、印字対象物上に形成可能なヘッドを制御し、該ドットの分布により多階調の画像を記録するプログラム製品であり、コンピュータにより読み取り可能な媒体と、この媒体に記録されたコンピュータプログラムコード手段とからなり、該コンピュータプログラムコード手段は、以下を備える
画素毎に順次入力した印刷すべき画像の階調信号に基づいて、前記有彩色インクが分担する濃度と前記無彩色インクが分担する濃度とを求める第１のプログラムコード手段と、
該求められた無彩色インクの濃度に基づいて、該無彩色インクについて、２以上の多値化を行なって、無彩色インクのドットの形成を判断する第２のプログラムコード手段と、
該無彩色についての多値化の結果に基づいて、前記有彩色インクの濃度に反映すべき補正データを求め、前記有彩色インクが分担する濃度を補正する第３のプログラムコード手段と、
該補正された有彩色インクの濃度に基づいて、前記単位面積当たりの濃度が異なる２種類以上のドットによる多値化を行ない、該２種類以上のドットの形成を判断する第４のプログラムコード手段。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
【課題を解決するための手段およびその作用・効果】
本発明の印刷装置は、
単位面積当たりの濃度の異なる有彩色インクによる２種類以上のドットと無彩色のインクによるドットとを、印字対象物上に形成可能なヘッドを備え、該ドットの分布により多階調の画像を記録する印刷装置であって、
印刷すべき画像の階調信号を画素毎に順次入力する入力手段と、
該入力した階調信号に基づいて、前記有彩色インクが分担する濃度と前記無彩色インクが分担する濃度とを求める濃度演算手段と、
該求められた無彩色インクの濃度に基づいて、該無彩色インクについて、２以上の多値化を行なって、無彩色インクのドットの形成を判断する無彩色ドット形成判断手段と、
該無彩色についての多値化の結果に基づいて、前記有彩色インクの濃度に反映すべき補正データを求め、前記有彩色インクが分担する濃度を補正する濃度補正手段と、
該補正された有彩色インクの濃度に基づいて、前記単位面積当たりの濃度が異なる２種類以上のドットによる多値化を行ない、該２種類以上のドットの形成を判断する有彩色ドット形成判断手段と、
前記無彩色ドット形成判断手段および前記有彩色ドット形成判断手段の判断結果に基づいて、前記ヘッドを駆動して、単位面積当たりの濃度の異なる有彩色インクの２種類以上のドットおよび前記無彩色インクのドットを形成させるヘッド駆動手段と
を備えたことを要旨としている。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００８３
【補正方法】変更
【補正の内容】
【００８３】
以上単位面積当たりの濃度が異なる２種類以上のドットを、濃度の異なる２種類のインクによりドットを形成することで実現したプリンタの構成例について説明したが、濃度の異なる２種類以上のインクを用いた態様は、上記実施例に限定されるものではない。例えば、濃度の異なる三種類以上のインクを用いることも可能である。この場合は、インクの染料濃度の比を、等比級数的（１：ｎ：２×ｎ・・）としてもよいし、累乗的な関係（１：ｎ２  ：ｎ４  ・・）としてもよい。なお、ここでｎ＝２，３・・・（２以上の正の整数）である。また、本実施例では、濃ドットの判断について組織的ディザ法を用い、淡ドットの判断については誤差拡散の考え方を適用したが、これらの手法に限定するものではなく、公知の種々の２値化手法を、濃ドットおよび淡ドットの判断に適用することができる。更に、本実施例では、濃ドットの判断を先行したが、淡ドットの判断を先に行なう構成とすることも可能である。
【手続補正３２】
【補正対象書類名】明細書
【補正対象項目名】００８５
【補正方法】変更
【補正の内容】
【００８５】
次に、他の構成例について簡単に説明する。上記実施例では、濃度の高いインクと低いインクとを用意し、濃度の高いインクによるドット（濃ドット）と低いインクによるドット（淡ドット）とを用紙Ｐ上に形成するものとしたが、インク濃度は１種類とし、ドット径の異なる２種類以上のドットを形成することによっても同様の効果を得ることができる。用紙Ｐ上に形成されるドットの大きさは、インク吐出用のノズルの直径やピエゾ素子ＰＥに印可する電圧パルスの強さ（電圧及び継続時間）等を調整することにより制御することができる。例えば、上記実施例のシアンインクＣ１用のノズル６２を大径ドット用のノズルとして形成し、ライトシアンインクＣ２用のノズル６３を小径ドット用のノズルとして形成すれば、上記実施例の制御を、濃ドット→大径ドット、淡ドット→小径ドットと置き換えることにより、そのまま実施可能である。この場合、入力データの階調に応じて、まず大径のドットのオン・オフをディザ法等により決定し、その後、小径のドットのオン・オフを誤差拡散の手法を利用しつつ決定する。大径のドットと小径のドットが形成される様子を、図２１に例示した。
【手続補正３３】
【補正対象書類名】明細書
【補正対象項目名】００８８
【補正方法】変更
【補正の内容】
【００８８】
次に、本発明の実施例について説明する。本実施例の印刷装置は、上述した構成例と同一のハードウェア構成を備え、黒インクＫ，シアンインクＣ１，ライトシアンインクＣ２，マゼンタインクＭ１，ライトシアンインクＭ２，イエロインクＹの計６色によって画像を記録することが可能である。この実施例では、図２２に示した画像記録処理ルーチンが起動されると、まず着目画素の階調データを入力する処理を行ない（ステップＳ２００）、続いてまず黒インクについての２値化の処理を実行する（ステップＳ２１０）。この黒インクについての２値化の処理は、図２２に示したが、その詳細は後述する。
【手続補正３４】
【補正対象書類名】明細書
【補正対象項目名】００９９
【補正方法】変更
【補正の内容】
【００９９】
次に、本発明の第２の実施例について説明する。この実施例では、第１実施例と同様、黒インクのドットを形成するか否かの判断結果をシアンおよびマゼンタインクのドットの形成に反映させているが、第１実施例とは反映の手法が異なっている。第２実施例でのハーフトーン処理を、図２５ないし図２７に示した。なお、ここでは、黒インクのドットの形成の判断とシアンインクのドットの形成の判断のみを示したが、同様のマゼンタインクについても処理が行なわれている。
【手続補正３５】
【補正対象書類名】明細書
【補正対象項目名】０１１０
【補正方法】変更
【補正の内容】
【０１１０】
以上説明した第２実施例によれば、黒インクのドットの形成の有無により、シアンインクの濃淡ドットの形成に影響を与えることができる。即ち、黒インクによるドットが形成された場合には、その周辺にシアンインクのドットが形成され難くなる。このため、黒インクとシアンインク（あるいはマゼンタインク）について、それぞれ単独の分散性が高い場合でも、両方のドットが隣接して形成されてしまい、結果的に粒状性が視認されると言った不具合を生じることがない。しかも、この実施例では、シアンインク，マゼンタインクについては濃淡のインクを記録することができるから、仮に形成されるとすれば淡ドットが形成されやすく、画像の品質は極めて高いものとなる。
【手続補正３６】
【補正対象書類名】明細書
【補正対象項目名】０１１３
【補正方法】変更
【補正の内容】
【０１１３】
次に、本発明の第３の実施例について説明する。この実施例は、第２実施例と同様、黒インクのドットのオンオフを濃淡シアンシンクのドットの形成に反映させるものであり、印刷装置のハードウェア構成およびその他の処理は、第２実施例と類似している。第２実施例の図２５に対応させて図２８を示す。即ち、第３実施例は、第２実施例のハーフトーン処理（ステップＳ４１０処理）まで、およびシアンについての誤差拡散処理（ステップＳ４５０の処理）以下は、同一である。図２８に示したように、第５実施例では、黒インクについての２値化の処理（ステップＳ５１０）の後、修正データＣｘを求める処理を行なうが、この処理の内容が第４実施例とは異なっている。即ち、第３実施例では、修正データＣｘを、シアンインクについての階調データＣ（ｘ，ｙ）に、黒インクの階調データから黒インクのドットについての結果値ＫＲＳＴを減算した値に、所定の重み付け係数ＫＣＷを掛けたものを加えている。これを数式で表現すると、
Ｃｘ＝Ｃ（ｘ，ｙ）＋｛Ｋ（ｘ，ｙ）−ＫＲＳＴ｝・ＫＣＷ
である。
【手続補正３７】
【補正対象書類名】明細書
【補正対象項目名】０１１４
【補正方法】変更
【補正の内容】
【０１１４】
その後、シアンインクについての３値化処理を行なう（ステップＳ５３０）。この３値化処理の詳細を図２９に示した。第３実施例の３値化処理では、第２実施例の３値化処理と比べて、黒インクのドットがオフであるか否かの判断（図２７ステップＳ４３２）と、その判断結果が「ＮＯ」であった場合に実行されるシアンのドットＣ１，Ｃ２をオフにする処理（ステップＳ４４６）および結果値ＣＲＳＴを値２５５に設定する処理（ステップＳ４４７）とが、存在しない点以外は、全く同一である。
【手続補正３８】
【補正対象書類名】明細書
【補正対象項目名】０１１６
【補正方法】変更
【補正の内容】
【０１１６】
即ち、シアン成分についての修正データＣｘを求めるのに、黒インクの階調データを減算しているのは、黒インクによるドットが形成された場合（結果値ＫＲＳＴ＝２５５）、黒インクのドットの近傍にシアンインクのドットが打たれにくくするようにするためである。第３実施例では、黒インクの階調データと結果値との差分を加えていることから、所定領域でみればシアン成分に加えている黒インクによる補正分は、ほとんど０であるが、局所的には黒ドットの近傍にシアンインクのドットが生成されにくくするよう作用していることが分かる。なお、実施例では、重み付け係数ＫＣＷは、値１としたが、値１より小さい値、あるいは大きな値としてもよい。小さい値とすれば、シアンインクのドットは平均的には形成されやすくなり、値１より大きな値とすれば、シアンインクのドットは平均的には形成されにくくなることは、第２実施例と同様である。
【手続補正３９】
【補正対象書類名】明細書
【補正対象項目名】０１１８
【補正方法】変更
【補正の内容】
【０１１８】
以上説明した第２，第３実施例は、黒インクのドットのオン・オフの影響をシアンインクＣ１，Ｃ２のドットの形成の判断に反映させたが、第３実施例の手法は、シアンインクＣ１とライトシアンインクＣ２（同様にマゼンタインクＭ１，Ｍ２）の形成の判断に適用することができる。この場合のハーフトーン処理の一例を図３０に示した。図３０において、ステップＳ６０５ないし６５０を除く他の処理は、第２実施例と同一なので、その下２桁の符号を同一として示した。これらの処理の詳細については説明を省略する。図３０は、シアンインクについてのハーフトーン処理を示したが、他の色相の濃淡インクにも適用可能なことはもちろんである。
【手続補正４０】
【補正対象書類名】明細書
【補正対象項目名】０１１９
【補正方法】変更
【補正の内容】
【０１１９】
図３０に示したハーフトーン処理が開始されると、初期化の処理（ステップＳ６００）の後、シアンインクの階調データＣ（ｘ，ｙ）に基づいて、シアンインクＣ１とライトシアンインクＣ２がそれぞれ実現すべき記録濃度、即ちドット記録率Ｃ１（ｘ，ｙ）、Ｃ２（ｘ，ｙ）を決定する処理を行なう（ステップＳ６０５）。両インクにより実現すべきドット記録率（記録濃度）は、例えば第１実施例で説明した図１３に示した関係を用いて定めることができる。次に、こうした求めたシアンインクＣ１についての記録濃度Ｃ１（ｘ，ｙ）に基づいてシアンインクＣ１を２値化し、結果値ＣＲＳＴを求める処理を行なう（ステップＳ６１０）。シアンインクＣ１について２値化を行ない、結果値を求める処理は、第１実施例にならっても良いし、第２実施例にならっても良い。
【手続補正４１】
【補正対象書類名】明細書
【補正対象項目名】０１２１
【補正方法】変更
【補正の内容】
【０１２１】
こうして修正データＣｘを求めた後、ライトシアンインクＣ２についての２値化の処理（ステップＳ６３０）を行なう。２値化の処理は、第３実施例にならっても良い。２値化の処理の後、ライトシアンインクＣ２についての誤差拡散処理を行ない（ステップＳ６５０）、シアンインクＣ１，ライトシアンインクＣ２のオン・オフにより生じた誤差を、周辺の画素に反映させる。以上の処理を画面の全体（０＜ｘ≦Ｈｍａｘ、０＜ｙ≦Ｖｍａｘ）に適用する（ステップＳ６６０ないしＳ６９０）。
【手続補正４２】
【補正対象書類名】明細書
【補正対象項目名】０１２２
【補正方法】変更
【補正の内容】
【０１２２】
以上説明した第４実施例によれば、濃度の高いインクＣ１と濃度の低いインクＣ２とを、一方のオン・オフの影響を他方に反映して全体として適正なハーフトーン処理を実現することができる。この場合、第１実施例のように、濃度が高い側のインクのドットをオンとした場合には濃度が低い側のインクのドットを必ずオフにするという処理は行なっていないので、濃度の高い側のインクのドットが形成されると濃度が低い側のインクのドットは形成させにくくはなるが、必要に応じて形成されることもあり、ハーフトーン処理を一層精密に行なうことが可能となっている。例えば、濃淡両ドットにより実現すべき濃度が１００パーセントを超えるような場合、第４実施例の手法は、適正な結果を与える。こうした利点は、例えば紙質により、濃淡両ドットにより実現する濃度を可変する様な場合に極めて大きなメリットとなる。また、同一濃度のインクを同じ場所に２度吐出して、一度しか吐出しない場合との間で濃度差を作り出しているような印刷装置では、インクの吐出回数により単位面積当たりの濃度が異なる２種類以上のドットを結果的に形成することになるが、第４実施例の構成で、シアンインクＣ１とライトシアンインクＣ２とが同じものであるとして、処理を行なえばよいのである。このように、第４実施例の構成は、ハードウェア構成やインク濃度の相違を越えて適用することができる極めて汎用性の高い手法である。
【手続補正４３】
【補正対象書類名】明細書
【補正対象項目名】０１２３
【補正方法】変更
【補正の内容】
【０１２３】
なお、第４実施例において、修正データＣｘを求める処理（Ｓ６２０）を、
Ｃｘ＝Ｃ２（ｘ，ｙ）＋Ｃ１（ｘ，ｙ）−ＣＲＳＴ・ＷＣ
とすれば、Ｃ２（ｘ，ｙ）＋Ｃ１（ｘ，ｙ）は、シアンインク全体が実現すべき濃度に相当するから、入力した階調データＤＳそのものと見なせるから、修正データＣｘは、
Ｃｘ＝ＤＳ（ｘ，ｙ）−ＣＲＳＴ・ＷＣ
として求めることができる。この場合には、ステップＳ６０５で求めたように、濃度の高いインクと低いインク両方の記録濃度を予め決定するのではなく、濃度が高い側のインクの記録濃度だけを決定すれば良いことになる。但しこの手法では、重み付け係数ＷＣが値１以外の時には、重み付け係数ＷＣの影響は、結果値ＣＲＳＴにしか及ばない。
【手続補正４４】
【補正対象書類名】明細書
【補正対象項目名】図２２
【補正方法】変更
【補正の内容】
【図２２】
本発明の第１実施例の画像記録処理ルーチンを示すフローチャートである。
【手続補正４５】
【補正対象書類名】明細書
【補正対象項目名】図２３
【補正方法】変更
【補正の内容】
【図２３】
第１実施例における黒インクの２値化処理ルーチンを示すフローチャートである。
【手続補正４６】
【補正対象書類名】明細書
【補正対象項目名】図２５
【補正方法】変更
【補正の内容】
【図２５】
第２実施例のハーフトーン処理ルーチンを示すフローチャートである。
【手続補正４７】
【補正対象書類名】明細書
【補正対象項目名】図２６
【補正方法】変更
【補正の内容】
【図２６】
第２実施例における黒インクの２値化の処理を示すフローチャートである
【手続補正４８】
【補正対象書類名】明細書
【補正対象項目名】図２７
【補正方法】変更
【補正の内容】
【図２７】
第２実施例におけるシアン成分についての３値化処理を示すフローチャートである。
【手続補正４９】
【補正対象書類名】明細書
【補正対象項目名】図２８
【補正方法】変更
【補正の内容】
【図２８】
第３実施例の要部を示すフローチャートである。
【手続補正５０】
【補正対象書類名】明細書
【補正対象項目名】図２９
【補正方法】変更
【補正の内容】
【図２９】
第３実施例におけるシアンインクＣについての３値化処理を示すフローチャートである。
【手続補正５１】
【補正対象書類名】明細書
【補正対象項目名】図３０
【補正方法】変更
【補正の内容】
【図３０】
第４実施例におけるハーフトーン処理を示すフローチャートである。